(57)【要約】【課題】  液晶装置等の電気光学装置の調整方法は、例えば領域走査倍速Ｖ反転駆動の如き、極性反転の周期が比較的早い駆動方式を採用する電気光学装置の対向電極の電位を調整することを可能にする。【解決手段】  電気光学装置の調整方法は、電気光学装置における対向電極の電位を調整するための電気光学装置の調整方法であって、電気光学装置を２つ以上組み合わせて、画像表示領域から出射される光を合成して一枚の投影画像としてスクリーン上に投影するカラー合成投影ステップと、投影画像におけるカラーブレーク現象が小さくなるように電位を調整する調整ステップとを備える。【選択図】  図８
2006267558.tif 000002
【特許請求の範囲】
【請求項１】
一対の第１及び第２基板が貼り合わされてなり、(i)画像表示領域に配列された複数の画素電極と、(ii)相交差する複数のデータ線及び複数の走査線と、(iii)前記複数の画素電極に対応して夫々が設けられた複数のスイッチング素子と、(iv)前記複数の画素電極に対向配置された対向電極とを備えた電気光学装置における前記対向電極の電位を調整するための電気光学装置の調整方法であって、
前記電気光学装置を２つ以上組み合わせて、前記画像表示領域から出射される光を合成して一枚の投影画像としてスクリーン上に投影するカラー合成投影ステップと、
前記投影画像におけるカラーブレーク現象が小さくなるように前記電位を調整する調整ステップと
を備えたことを特徴とする電気光学装置の調整方法。
【請求項２】
前記画像表示領域を、前記走査線に沿う分割線により分割して得られる複数の部分領域について、該複数の部分領域に対して交替に且つ各部分領域に含まれる前記複数の走査線に対して順番に、走査信号を供給する走査線駆動回路と、
前記複数の部分領域の各々を、表示データにおける水平走査期間の１／ｎ（但し、ｎは２以上の自然数）の期間を１水平走査期間として水平走査されるように、前記表示データに基づいて画像信号を生成して前記複数のデータ線に供給する画像信号供給回路と
を備えた電気光学装置における前記対向電極の電位を調整するための調整方法であることを特徴とする請求項１に記載の電気光学装置の調整方法。
【請求項３】
前記画像表示領域を、表示データにおける１フィールド期間の１／ｎ（但し、ｎは２以上の自然数）の期間で垂直走査すると共に前記表示データにおける水平走査期間の１／ｎの期間を１水平走査期間として水平走査するように、前記表示データに基づいて画像信号を生成して前記複数のデータ線に供給する画像信号供給回路とを備えた電気光学装置における前記対向電極の電位を調整するための調整方法であることを特徴とする請求項１に記載の電気光学装置の調整方法。
【請求項４】
前記カラー合成投影ステップは、前記電気光学装置を３つ組み合わせて、前記投影画像として一枚のＲＧＢのカラー画像を投影し、
前記調整ステップは、前記カラー画像における前記カラーブレーク現象を小さくすることを特徴とする請求項１から３のいずれか一項に記載の電気光学装置の調整方法。
【請求項５】
前記調整ステップは、
前記画像表示領域に、背景画像中を所定形状のパターンが所定方向に動く動画像が表示されるように、前記表示データを生成する表示データ生成ステップを有し、
前記投影画像における前記動画像に隣接する領域における前記カラーブレーク現象を小さくすることを特徴とする請求項１から４のいずれか一項に記載の電気光学装置の調整方法。
【請求項６】
前記調整ステップは、
前記画像表示領域に、背景画像が表示されるように、前記表示データを生成する表示データ生成ステップと、
前記スクリーンの手前側に所定形状の不透明なパターンを所定方向に動かすパターン動作工程と
を有することを特徴とする請求項１から４のいずれか一項に記載の電気光学装置の調整方法。
【請求項７】
一対の第１及び第２基板が貼り合わされてなり、(i)画像表示領域に配列された複数の画素電極と、(ii)相交差する複数のデータ線及び複数の走査線と、(iii)前記複数の画素電極に対応して夫々が設けられた複数のスイッチング素子と、(iv）前記複数の画素電極に対向配置された対向電極とを備えた電気光学装置における前記対向電極の電位を調整するための電気光学装置の調整装置であって、
前記電気光学装置を２つ以上組み合わせて、前記画像表示領域から出射される光を合成して一枚の投影画像としてスクリーン上に投影するカラー合成投影装置と、
前記投影画像におけるカラーブレーク現象が小さくなるように前記電位を調整する調整装置と
を備えたことを特徴とする電気光学装置の調整装置。
【発明の詳細な説明】
【技術分野】
【０００１】
本発明は、例えば液晶装置等の電気光学装置における対向電極の電位を調整するための調整方法及び装置の技術分野に関する。
【背景技術】
【０００２】
例えば液晶装置等の電気光学装置では、液晶等の電気光学物質に対して直流電界が印加されることによる該電気光学物質の劣化を防いだり、表示画像におけるフリッカを低減するのが望ましい。このため、対向電極と画素電極との間で電気光学物質に印加される電界が、適当な周期で、所定電位或いは基準電位に対して正極性と負極性とに交互になるように反転駆動を行うことが一般的である。例えば、一画面毎に即ち１フィールド期間毎或いは１垂直走査期間毎に、極性を反転させるフィールド反転駆動がある。或いは、一走査線ライン毎に即ち１水平走査期間毎に、極性を反転させる横ライン反転駆動（例えば、１Ｈ反転駆動）がある。更に、一データ線ライン毎に極性を反転させる縦ライン反転駆動（例えば、１Ｓ反転駆動）や、縦横のドット毎に極性を反転させるドット反転駆動もある。このような反転駆動を行う場合には、直流電界の印加を避け且つ正極性と負極性とで同一階調とする観点からすれば、対向電極の電位の最適値とは、正極性と負極性との中央の値ということになる。
【０００３】
そこで従来は、このような電気光学装置における対向電極の電位を最適値に調整するための調整方法として、次の方法が広く行われている。
【０００４】
即ち先ず、電気光学装置をＲＧＢ用のライトバルブとして３つ組み合わせて、各ライトバルブから出射される光を合成して一枚のＲＧＢのカラー画像としてスクリーン上に投影する。この状態で、目視によりフリッカを観察する。ここで、対向電極の電位が、その最適値からずれている程、視認されるフリッカの程度が大きくなる。逆に、対向電極の電位が、その最適値に近くなる程、視認されるフリッカの程度が小さくなる。このため、目視によりフリッカを観察して、フリッカが小さくなるように調整することで、対向電極の電位を、その最適値に調整することが可能となる。
【０００５】
【特許文献１】特開２０００−２２１９２５号公報
【発明の開示】
【発明が解決しようとする課題】
【０００６】
ところで、画像表示領域を走査線に沿った分割線によって分割して得られる複数の部分領域を次のように領域走査することにより画像表示を行う独自の駆動方法が本願発明者らによって見出されている。即ち、この駆動方法によれば、駆動回路は、水平同期信号及び垂直同期信号に基づいて走査信号を生成し、各部分領域に交替に且つ各走査線に順番に走査信号を供給する。また、複数の部分領域のうち対となる二つの部分領域について、二つの部分領域のうち一方の部分領域の画素部と、二つの部分領域のうち他方の部分領域の画素部とが、走査線が選択される周期で、基準電位に対して互いに異なる極性の画像信号に基づいて駆動されるように、駆動回路によって表示データに基づいて生成された画像信号が、各データ線に供給される。このような駆動方法によれば、複数の部分領域が二つの部分領域である場合に、二つの垂直同期信号の出力タイミングの間隔によって規定される１フィールド期間に、各画素部に一画面を表示するための画像信号が極性を変えて二度書き込まれることとなる。本願明細書では以下適宜、このような駆動を、“領域走査倍速Ｖ反転駆動”（即ち“領域走査倍速フィールド反転駆動”）と称することにする。但し、本発明が対象とするのは、この領域走査倍速Ｖ反転駆動に限らず、２倍以上のｎ倍速でもよい。言い換えれば、ここにいう領域走査倍速Ｖ反転駆動とは、広義には２倍速以上のｎ倍速の場合をも含む意味である。領域走査倍速Ｖ反転駆動によれば、仮にフリッカが発生しても、その周波数が高いために、視認されるようなフリッカについては、極めて効果的に低減することが可能である。
【０００７】
しかしながら、上述した目視によりフリッカを観察することで対向電極の電位をその最適値とする調整方法では、領域走査倍速Ｖ反転駆動の場合には、フリッカの周波数が倍或いはそれ以上とされているため、肝心のフリッカを目視できない。即ち、フリッカを観察することでは、対向電極の電位を調整できないという、極めて深刻な技術的問題点が生じる。
【０００８】
本発明は、上記問題点に鑑み成されたものであり、例えば上述した領域走査倍速Ｖ反転駆動の如き、極性反転の周期が比較的早い駆動方式を採用する電気光学装置であっても、その対向電極の電位を調整することを可能ならしめる電気光学装置の調整方法及び装置を提供することを課題とする。
【課題を解決するための手段】
【０００９】
本発明の電気光学装置の調整方法は上記課題を解決するために、一対の第１及び第２基板が貼り合わされてなり、(i)画像表示領域に配列された複数の画素電極と、(ii)相交差する複数のデータ線及び複数の走査線と、(iii)前記複数の画素電極に対応して夫々が設けられた複数のスイッチング素子と、(iv)前記複数の画素電極に対向配置された対向電極を備えた電気光学装置における前記対向電極の電位を調整するための電気光学装置の調整方法であって、前記電気光学装置を２つ以上組み合わせて、前記画像表示領域から出射される光を合成して一枚の投影画像としてスクリーン上に投影するカラー合成投影ステップと、前記投影画像におけるカラーブレーク現象が小さくなるように前記電位を調整する調整ステップとを備える。
【００１０】
本発明の電気光学装置の調整方法によれば、例えばアクティブマトリクス駆動型の電気光学装置を調整する。
【００１１】
即ち、この種の電気光学装置によれば、その動作時には、画像信号が、走査信号の供給されている走査線に対応するスイッチング素子にデータ線を介して供給される。これらのスイッチング素子に電気的に接続された画素電極には、例えば、走査線より走査信号が供給されて薄膜トランジスタ（Thin Film Transistor；以下適宜、”ＴＦＴ”と称する）等のスイッチング素子がオン状態とされることにより、スイッチング素子を介して対応するデータ線より画像信号が供給される。このため、画素電極と対向電極間の液晶等の電気光学物質には画像信号に基づいて電圧が印加され、画像表示が行われる。
【００１２】
ここで特に、本発明に係る電気光学装置の調整方法によれば、上述の電気光学装置を調整する際には、先ず、カラー合成投影ステップにおいて、例えば、３つの上述の電気光学装置をＲＧＢ用のライトバルブとして３つ組み合わせて、各ライトバルブから出射される光を合成して一枚のＲＧＢのカラー画像としてスクリーン上に投影する。次に、投影画像において、カラーブレーク現象を発生させる。ここに「カラーブレーク現象」とは、画像の動きと視聴者の目の動きの相互作用により発生する現象で、背景映像上を動く物体映像を、目で追う際に、該物体映像の後ろに虹色等の所定色の残像が見える、言い換えれば物体映像が何らかの色の尾を引きながら動くように見える現象を言う。例えば、画像上に早いボールの動きを追う際に、ボールの後ろに虹色の残像が見える現象である。一般には、「カラーブレークアップ現象」或いは「レインボー効果」とも呼ばれ、例えばＤＭＤ(Digital Mirror Device)等の技術分野において、周知の現象である。具体的には、例えば、投影画像を、模様のない、即ち、無地の比較的薄い色、好ましくは、白の背景に対して、背景の色よりも濃い色、例えば黒の四角形が中央にある画像とする。この四角形を左右或いは上下等に動かすことにより、カラーブレーク現象が生じる。
【００１３】
次に、調整工程において、この状態で、目視によりカラーブレーク現象を観察する。ここで、対向電極の電位が、その最適値からずれている程、視認されるカラーブレーク現象の程度が大きくなる。逆に、対向電極の電位がその最適値に近くなる程、視認されるカラーブレーク現象が小さくなる。このため、目視によりカラーブレーク現象を観察して、カラーブレーク現象を小さくするように調整することで、対向電極の電位を、その最適値に調整することが可能となる。ここに「カラーブレーク現象を小さくする」とは、カラーブレーク現象が多少なりとも発生しにくくすることをいい、好ましくは、全く発生しないようにすることをいう。具体的には、例えば、虹色の残像が、目視できなくなる程度になるまで、対向電極の電位を変化させる。
【００１４】
ここで特に、例えばアクティブマトリクス駆動の駆動周波数が観察者の目視力に応じて定まる所定値以上に高い場合には、フリッカが目視可能な程度には生じないのに対し、カラーブレーク現象は、このような所定値以上に高い駆動周波数の場合でも、同一観察者をして目視可能な程度に生じる。従って、例えば領域走査倍速Ｖ反転や倍速Ｖ反転の如く通常の目視ではフリッカが生じない程度にアクティブマトリクス駆動の駆動周波数が高い場合にも、カラーブレーク現象を小さくすることで対向電極の電位をその最適に近付けるように対向電極の電位を調整することが可能となる。
【００１５】
本発明の電気光学装置の調整方法の一の態様によれば、前記画像表示領域を、前記走査線に沿う分割線により分割して得られる複数の部分領域について、該複数の部分領域に対して交替に且つ各部分領域に含まれる前記複数の走査線に対して順番に、走査信号を供給する走査線駆動回路と、前記複数の部分領域の各々を、表示データにおける水平走査期間の１／ｎ（但し、ｎは２以上の自然数）の期間を１水平走査期間として水平走査されるように、前記表示データに基づいて画像信号を生成して前記複数のデータ線に供給する画像信号供給回路とを備えた電気光学装置における前記対向電極の電位を調整するための調整方法である。
【００１６】
この態様によれば、以下の如く領域走査倍速Ｖ反転駆動等の領域走査駆動を行う電気光学装置を調整する。
【００１７】
即ち、この電気光学装置によれば、その駆動時には、ビデオデッキやパーソナルコンピュータ等からソース信号が供給される。そして、水平同期信号及び垂直同期信号並びに表示データに基づいて、電気光学装置の画像表示領域において、次のように領域走査倍速Ｖ反転駆動等の領域走査駆動が行われる。
【００１８】
画像信号供給回路は、表示データに係る垂直走査期間或いはフィールド期間を、前述のｎで割った１／ｎフィールド期間で、画像表示領域を垂直走査するように、画像信号を生成する。水平走査期間は、表示データに係る水平同期信号により規定される。垂直走査期間或いはフィールド期間は、表示データに係る垂直同期信号により規定される。また、典型的には、画像信号供給回路は、画像信号を、基準電位に対して正極性及び負極性の電圧のいずれかに夫々調整しつつ生成する。例えば、表示データに係るフィールド期間を、２で割った１／２フィールド期間毎に、これらの極性を基準電位に対して反転させる。走査線駆動回路は、１フィールド期間に、水平同期信号に基づくタイミングで走査信号を生成し、各部分領域に交替に且つ複数の走査線に、例えば線順次など、順番に走査信号を出力する。例えば、複数の部分領域は、分割線により分割して得られる二つの部分領域であり、走査線駆動回路は、これら二つの部分領域に対して交互に且つ各部分領域における走査線に対して線順次に走査信号を供給する。但し、複数の部分領域は夫々、分割線により分割して得られる四つの部分領域であり、走査線駆動回路は、これら四つの部分領域に対して交替に且つ各部分領域における走査線に対して線順次に走査信号を供給するように構成してもよい。尚、本発明に係る“複数ｎ”は、典型的には、複数の部分領域の総数に等しい。但し、複数の部分領域の総数と比べて多い又は少ない２以上の自然数であってもよい。
【００１９】
１水平走査期間の前半に位置する１／２水平走査期間に、画像信号供給回路から供給された画像信号が、一方の部分領域において走査信号が供給されている走査線に対応するスイッチング素子にデータ線を介して供給される。これらのスイッチング素子に電気的に接続された画素電極には、例えば、走査線より走査信号が供給されてＴＦＴ等のスイッチング素子がオン状態とされることにより、スイッチング素子を介して対応するデータ線より画像信号が供給される。このため、画素電極と対向電極間の液晶等の電気光学物質には画像信号に基づいて電圧が印加され、画像表示が行われる。また、１水平走査期間の後半に位置する１／２水平走査期間に、画像信号供給回路から供給された画像信号が、他方の部分領域において走査信号が供給されている走査線に対応する画素電極にデータ線を介して供給される。このため、これらの画素電極と対向電極間の液晶等の電気光学物質には、一方の部分領域における電気光学物質と同様に電圧が印加され、画像表示が行われる。
【００２０】
以上のような領域走査では、画像信号は、表示データを２で割った１／２フィールド期間で、画像表示領域を垂直走査するように、生成されている。よって、画素電極には１フィールド期間に一画面を表示するための画像信号が極性を変えて二度書き込まれることとなる。即ち、本願出願人により先に提案された領域走査倍速Ｖ反転駆動が行われる。
【００２１】
ここで特に、上述したように領域走査倍速Ｖ反転駆動の場合には、フリッカが目視可能な程度には生じないのに対し、カラーブレーク現象は、領域走査倍速Ｖ反転駆動のような高い駆動周波数の駆動方法による場合でも、目視可能な程度に生じる。従って、領域走査倍速Ｖ反転駆動の如き、極性反転の周期が比較的早い駆動方式を採用する電気光学装置において、カラーブレーク現象を小さくすることで対向電極の電位をその最適に近付けるように対向電極の電位を調整することが可能となる。
【００２２】
本発明の電気光学装置の調整方法の他の態様によれば、前記画像表示領域を、表示データおける１フィールド期間の１／ｎ（但し、ｎは２以上の自然数）の期間で垂直走査すると共に前記表示データにおける水平走査期間の１／ｎの期間を１水平走査期間として水平走査するように、前記表示データに基づいて画像信号を生成して前記複数のデータ線に供給する画像信号供給回路とを備えた電気光学装置における前記対向電極の電位を調整するための調整方法である。
【００２３】
この態様によれば、以下の如く倍速Ｖ反転駆動等の反転駆動を行う電気光学装置を調整する。
【００２４】
即ち、この電気光学装置によれば、その駆動時には、画像信号供給回路は、表示データに係るフィールド期間を、前述のｎで割った１／ｎフィールド期間で、画像表示領域を垂直走査するように、画像信号を生成する。フィールド期間は、表示データに係る垂直同期信号により規定される。また、典型的には、画像信号供給回路は、画像信号を、基準電位に対して正極性及び負極性の電圧のいずれかに夫々調整しつつ生成する。例えば、表示データに係るフィールド期間を、２で割った１／２フィールド期間毎に、これらの極性を基準電位に対して反転させる。走査線駆動回路は、１フィールド期間に、水平同期信号に基づくタイミングで走査信号を生成し、画像表示領域の複数の走査線に、例えば線順次など、順番に走査信号を出力する。例えば、１水平走査期間に、画像信号供給回路から供給された画像信号が、走査信号が供給されている走査線に対応するスイッチング素子にデータ線を介して供給される。これらのスイッチング素子に電気的に接続された画素電極には、例えば、走査線より走査信号が供給されてＴＦＴ等のスイッチング素子がオン状態とされることにより、スイッチング素子を介して対応するデータ線より画像信号が供給される。このため、画素電極と対向電極間の液晶等の電気光学物質には画像信号に基づいて電圧が印加され、画像表示が行われる。以上のような領域走査では画像信号は、表示データを２で割った１／２フィールド期間で、画像表示領域を垂直走査するように、生成されている。よって、画素電極には１フィールド期間に一画面を表示するための画像信号が極性を変えて二度書き込まれることとなる。即ち、本願出願人により先に提案された倍速Ｖ反転駆動が行われる。
【００２５】
ここで特に、上述したように倍速Ｖ反転駆動の場合には、フリッカが目視可能な程度には生じないのに対し、カラーブレーク現象は、倍速Ｖ反転駆動のような高い駆動周波数の駆動方法による場合でも、目視可能な程度に生じる。従って、倍速Ｖ反転駆動の如き、極性反転の周期が比較的早い駆動方式を採用する電気光学装置において、カラーブレーク現象を小さくすることで対向電極の電位をその最適に近付けるように対向電極の電位を調整することが可能となる。
【００２６】
本発明の電気光学装置の調整方法の他の態様では、前記カラー合成投影ステップは、前記電気光学装置を３つ組み合わせて、前記投影画像として一枚のＲＧＢのカラー画像を投影し、前記調整ステップは、前記カラー画像における前記カラーブレーク現象を小さくする。
【００２７】
この態様によれば、投影画像として一枚のＲＧＢのカラー画像を投影するので、カラーブレーク現象の調整するステップにおいて、より目視しやすい画像を選択することができ、カラーブレーク現象を小さくすることにより、対向電極の電位をその最適値に容易に近付けることが可能となる。
【００２８】
本発明の電気光学装置の調整方法の他の態様では、前記調整ステップは、前記画像表示領域に、背景画像中を所定形状のパターンが所定方向に動く動画像が表示されるように、前記表示データを生成する表示データ生成ステップを有し、前記投影画像における前記動画像に隣接する領域における前記カラーブレーク現象を小さくする。
【００２９】
この態様によれば、画像表示領域に、背景画像中を所定形状のパターンが所定方向に動く動画像が表示される。このとき、この投影画像における動画像に隣接する領域にはカラーブレーク現象が容易に目視できる程度に発生しやすい。例えば、白色の無地の背景画像中に黒色の四角形が左右方向或いは上下方向に動く動画像の場合に、カラーブレーク現象が生じやすい。このため、投影画像における動画像に隣接する、より具体的には、動画像が動く方向に対して後方側に隣接する、カラーブレーク現象は容易に目視できる。従って、カラーブレーク現象を小さくすることにより、対向電極の電位をその最適値に容易に近付けることが可能となる。
【００３０】
本発明の電気光学装置の調整方法の他の態様では、前記調整ステップは、前記画像表示領域に、背景画像が表示されるように、前記表示データを生成する表示データ生成ステップと、前記スクリーンの手前側に所定形状の不透明なパターンを所定方向に動かすパターン動作ステップとを有する。
【００３１】
この態様によれば、パターン動作ステップでは、表示データ生成ステップによって生成された表示データに基づいて画像表示領域に表示された背景画像の手前側において、即ち、スクリーンと観察者との間の空間におけるいずれかの位置において、例えば３次元的な平板やブロックなどからなる、観察者の側から見て、所定形状の不透明なパターン、例えば黒色の四角形、を所定方向、例えば左右或いは上下方向に動かす。このため、カラーブレーク現象が発生しやすい。特に、所定パターンの動く方向に対して後方側に発生しやすい。よって、カラーブレーク現象は容易に目視できる。従って、カラーブレーク現象を小さくすることにより、対向電極の電位をその最適値に容易に近付けることが可能となる。
【００３２】
本発明の電気光学装置の調整装置は上記課題を解決するために、一対の第１及び第２基板が貼り合わされてなり、(i)画像表示領域に配列された複数の画素電極と、(ii)相交差する複数のデータ線及び複数の走査線と、(iii)前記複数の画素電極に対応して夫々が設けられた複数のスイッチング素子と、(iv)前記複数の画素電極に対向配置された対向電極とを備えた電気光学装置における前記対向電極の電位を調整するための電気光学装置の調整装置であって、前記電気光学装置を２つ以上組み合わせて、前記画像表示領域から出射される光を合成して一枚の投影画像としてスクリーン上に投影するカラー合成投影装置と、前記投影画像におけるカラーブレーク現象が小さくなるように前記電位を調整する調整装置とを備える。
【００３３】
本発明の電気光学装置の調整装置によれば、前述した本発明の電気光学装置の調整方法と同様に、例えば、領域走査倍速Ｖ反転駆動の如き、極性反転の周期が比較的早い駆動方式を採用する電気光学装置において、カラーブレーク現象を小さくすることで対向電極の電位をその最適に近付けるように対向電極の電位を調整することが可能となる。ここで特に、前述したカラー合成投影ステップ及び調整ステップを装置によって行うので、目視による場合に生ずる可能性の高い調整のバラツキの低減や自動化も可能となる。
【００３４】
本発明のこのような作用及び他の利得は次に説明する実施の形態から明らかにされる。
【発明を実施するための最良の形態】
【００３５】
以下では、本発明の実施形態について図を参照しつつ説明する。以下の実施形態では、本発明の電気光学装置の調整方法を、電気光学装置の一例である駆動回路内蔵型のＴＦＴアクティブマトリクス駆動方式の液晶装置に適用した例をとる。
【００３６】
（第１実施形態）
第１実施形態の電気光学装置の調整方法及び装置について、図１から図１０を参照して説明する。
【００３７】
先ず、図１及び図２を参照して、本実施形態の電気光学装置の調整方法を適用する液晶装置における液晶パネルの全体構成について、説明する。ここに図１は、本実施形態の電気光学装置の調整方法を適用する液晶装置における液晶パネルの構成を示す平面図であり、図２は、図１のＨ−Ｈ’線での断面図である。
【００３８】
図１及び図２において、本実施形態の電気光学装置の調整方法を適用する液晶装置おける液晶パネル１００では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００３９】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路１０１ｂが額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４０】
ＴＦＴアレイ基板１０上には、外部回接続端子１０２と、データ線駆動回路１０１、走査線駆動回路１０４、上下導通端子１０６等とを電気的に接続するための引回配線９０が形成されている。
【００４１】
図２において、ＴＦＴアレイ基板１０上には、駆動素子である画素スイッチング用のＴＦＴ（Thin Film Transistor）や走査線、データ線等の配線が作り込まれた積層構造が形成される。画像表示領域１０ａには、画素スイッチング用ＴＦＴや走査線、データ線等の配線の上層に画素電極９ａが設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９ａと対向して形成される。
【００４２】
尚、ここでは図示しないが、ＴＦＴアレイ基板１０上には、データ線駆動回路１０１、走査線駆動回路１０４の他に、製造途中や出荷時の当該液晶装置の品質、欠陥等を検査するための検査回路、検査用パターン等が形成されていてもよい。
【００４３】
液晶装置の電気的な全体構成について、図３及び図４を参照して説明する。ここに、図３は、液晶装置の全体構成を示すブロック図であり、図４は、液晶パネルの電気的な構成を示すブロック図である。尚、図４は、図１に示した平面図に対して、上下が逆転した平面図を示している。
【００４４】
図３に示すように、液晶装置は、主要部として、液晶パネル１００、画像信号供給回路３００、タイミング制御回路４００、第１フレームメモリ６２及び第２フレームメモリ６３、表示データ生成回路５０２、並びに電源回路７００を備える。
【００４５】
表示データ生成回路５０２は、例えばビデオデッキやパーソナルコンピュータ等から供給されるソース信号ＤＡＴＡに基づいて、水平同期信号Ｈｓ及び垂直同期信号Ｖｓ、ドットクロックＤＣＬＫ、並びに表示データＤ０を生成する。
【００４６】
タイミング制御回路４００は、各部で使用される各種タイミング信号を出力するように構成されている。タイミング制御回路４００は、表示データ生成回路５０２から供給される水平同期信号Ｈｓ、垂直同期信号Ｖｓ及びドットクロックＤＣＬＫに基づいて、Ｙクロック信号ＣＬＹ、反転Ｙクロック信号ＣＬＹｉｎｖ、Ｘクロック信号ＣＬＸ、反転Ｘクロック信号ＸＣＬｉｎｖ、ＹスタートパルスＤＹ及びＸスタートパルスＤＸが生成される。更に、タイミング制御回路４００において、走査信号の出力タイミングを決定する２種のイネーブル信号ＥＮＢ１及びＥＮＢ２が生成される。
【００４７】
画像信号供給回路３００には、表示データ生成回路５０２から水平同期信号Ｈｓ、垂直同期信号Ｖｓ、ドットクロックＤＣＬＫ、及び表示データＤ０が供給される。画像信号供給回路３００は、表示データＤ０に基づいて、２種のフィールドデータを生成し、後述するように一の走査線に対して走査信号が供給される周期で、生成した２種のフィールドデータを第１フレームメモリ６２及び第２フレームメモリ６３の一方に一時期的に蓄えると共に、他方からは蓄積した１種のフィールドデータを読み出す。尚、２種のフィールドデータには夫々、一画面を表示するための表示データが含まれている。
【００４８】
そして、画像信号供給回路３００は、読み出した１種のフィールドデータに対して所定の処理を行う。この所定の処理の一例として、画像信号供給回路３００では、例えば１種のフィールドデータをシリアル−パラレル変換して、即ち相展開して、Ｎ相、例えば６相（Ｎ＝６）の画像信号ＶＩＤ１〜ＶＩＤ６を生成することがある。更に、画像信号供給回路３００は、生成した画像信号ＶＩＤｋ（但し、ｋ＝１、２、・・・、６）の電圧を、所定の基準電位ｖ０に対して正極性及び負極性に反転した後、画像信号ＶＩＤｋを出力する。
【００４９】
また、電源回路７００は、所定の共通電位ＬＣＣの共通電源を、図２に示す対向電極２１に供給する。対向電極２１は、図２に示す対向基板２０の下側に、複数の画素電極９ａと対向するように形成されている。
【００５０】
次に、液晶パネル１００における電気的な構成について、図２及び図４を参照して説明する。
【００５１】
図２に示すように、液晶パネル１００には、そのＴＦＴアレイ基板１０の周辺領域に、走査線駆動回路１０４及びデータ線駆動回路１０１を含む内部駆動回路が設けられている。
【００５２】
図４において、走査線駆動回路１０４は、Ｙクロック信号ＣＬＹ、反転Ｙクロック信号ＣＬＹｉｎｖ、及びＹスタートパルスＤＹが供給されることによって、基本的な線順次の水平走査が可能となっている。更に、走査線駆動回路１０４は、供給されたイネーブル信号ＥＮＢ１及びＥＮＢ２に基づくタイミングで、後述するような順序で走査信号Ｇ１、Ｇ２、・・・、Ｇｙを出力する。
【００５３】
データ線駆動回路１０１の主要部には、サンプリング信号供給回路１０１ａ、及びサンプリング回路１０１ｂが含まれる。サンプリング信号供給回路１０１ａには、Ｘクロック信号ＣＬＸ、反転Ｘクロック信号ＣＬＸｉｎｖ、及びＸスタートパルスＤＸが供給される。サンプリング信号供給回路１０１ａは、ＸスタートパルスＤＸが入力されると、Ｘクロック信号ＣＬＸ及び反転Ｘクロック信号ＸＣＬＸｉｎｖに基づくタイミングで、サンプリング信号Ｓ１、・・・、Ｓｘを順次生成して出力する。
【００５４】
サンプリング回路１０１ｂは、Ｐチャネル型又はＮチャネル型の片チャネル型ＴＦＴ若しくは相補型のＴＦＴから構成されたサンプリングスイッチ２０２を複数備える。
【００５５】
液晶パネル１００は更に、そのＴＦＴアレイ基板の中央を占める画像表示領域１０ａに、縦横に配線されたデータ線１１４及び走査線１１２を備え、それらの交点に対応する各画素部７０に、マトリクス状に配列された液晶素子１１８の画素電極９ａ及び画素電極９ａをスイッチング制御するためのＴＦＴ１１６を備える。
【００５６】
尚、本実施形態では特に、走査線１１２の総本数をｙ本（但し、ｙは２以上の自然数）とし、データ線１１４の総本数をｘ本（但し、ｘは２以上の自然数）として説明する。
【００５７】
前述したように、例えば、６相にシリアル−パラレル展開された画像信号ＶＩＤ１〜ＶＩＤ６は夫々、画像信号線１７１を介して液晶パネル１００に供給される。
【００５８】
サンプリング回路１０１ｂにおいて、６個のサンプリングスイッチ２０２を１群とし、１群に属するサンプリングスイッチ２０２には夫々、サンプリング信号Ｓｉ（ｉ＝１、２、・・・、ｘ）が入力される。１群に属するサンプリングスイッチ２０２は、６本のデータ線１１４を１群とし、１群に属するデータ線１１４に対し、サンプリング信号Ｓｉに応じて、画像信号ＶＩＤｋをサンプリングして供給する。即ち、１群に属するサンプリングスイッチ２０２を介して、１群に属するデータ線１１４と画像信号線１７１が電気的に接続される。従って、ｘ本のデータ線１１４を１群に属するデータ線１１４毎に駆動するため、駆動周波数が抑えられる。
【００５９】
図４中、一つの画素部７０の構成に着目すれば、ＴＦＴ１１６のソース電極には、画像信号ＶＩＤｋが供給されるデータ線１１４が電気的に接続されている一方、ＴＦＴ１１６のゲート電極には、走査信号Ｇｊ（但し、ｊ＝１、２、３、・・・、ｙ）が供給される走査線１１２が電気的に接続されるとともに、ＴＦＴ１１６のドレイン電極には、液晶素子１１８の画素電極９ａが接続されている。ここで、各画素部７０において、液晶素子１１８は、画素電極９ａと対向電極２１との間に液晶を挟持してなる。従って、各画素部７０は、走査線１１２とデータ線１１４との各交点に対応して、マトリクス状に配列されることになる。
【００６０】
液晶素子１１８の画素電極９ａには、ＴＦＴ１１６を一定期間だけそのスイッチを閉じることにより、データ線１１４より画像信号ＶＩＤｋが所定のタイミングで供給される。これにより、液晶素子１１８には、画素電極９ａ及び対向電極２１の各々の電位によって規定される印加電圧が印加される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号ＶＩＤｋに応じたコントラストをもつ光が出射する。
【００６１】
ここで、保持された画像信号がリークするのを防ぐために、蓄積容量１１９が、液晶素子１１８と並列に付加されている。例えば、画素電極１１８の電圧は、ソース電圧が印加された時間よりも３桁も長い時間だけ蓄積容量１１９により保持されるので、保持特性が改善される結果、高コントラスト比が実現されることとなる。
【００６２】
次に、液晶装置の駆動方法について、図３から図７を参照して説明する。ここに図５は画像信号供給回路における画像信号の生成について説明するための説明図である。図６は、画像表示領域における部分領域について説明するための説明図である。図７は、変形例における図６と同趣旨の説明図である。
【００６３】
この液晶装置によれば、その駆動時には、図３を参照して上述したようにビデオデッキやパーソナルコンピュータ等からソース信号ＤＡＴＡが供給される。そして、水平同期信号Ｈｓ及び垂直同期信号Ｖｓ並びに表示データＤ０に基づいて、液晶装置の画像表示領域１０ａにおいて、次のように領域走査倍速Ｖ反転駆動の領域走査駆動が行われる。
【００６４】
図５に示すように、画像信号供給回路３００は、表示データＤ０に係るフィールド期間を、２で割った１／２フィールド期間で、画像表示領域１０ａを垂直走査するように、画像信号ＶＩＤｋを生成する。水平走査期間は、表示データＤ０に係る水平同期信号Ｈｓにより規定される。フィールド期間は、表示データＤ０に係る垂直同期信号Ｖｓにより規定される。また、画像信号供給回路３００は、画像信号ＶＩＤｋを、基準電位ｖ０に対して正極性及び負極性の電圧のいずれかに夫々調整しつつ生成する。より具体的には、表示データＤ０に係るフィールド期間を、２で割った１／２フィールド期間毎に、これらの極性を基準電位ｖ０に対して反転させる。図５には、正極性の画像信号ＶＩＤｋを画像信号Ａとし、負極性の画像信号ＶＩＤｋを画像信号Ｂとして示してある。走査線駆動回路１０４は、１フィールド期間に、水平同期信号Ｈｓに基づくタイミングで走査信号Ｇｊ（但し、ｊ＝１、２、３、・・・、ｙ）を生成する。
【００６５】
図６に示すように、画像表示領域１０ａは走査線１１２に沿う分割線６００により第１部分領域１０ａａ及び第２部分領域１０ａｂに二等分されている。走査線駆動回路１０４は、第１部分領域１０ａａ及び第２部分領域１０ａｂに交替に且つ複数の走査線１１２に、線順次に走査信号Ｇｊを供給する。但し、図７に変形例として示すように、複数の部分領域は夫々、分割線６１１〜６１３により分割して得られる四つの部分領域、即ち部分領域１０ａｅ、１０ａｆ、１０ａｇ、１０ａｈであり、走査線駆動回路１０４は、これら四つの部分領域に対して交替に且つ各部分領域における走査線１１２に対して線順次に走査信号Ｇｊを供給するように構成してもよい。尚、本発明に係る“複数ｎ”は、本実施形態では、複数の部分領域の総数２に等しい。
【００６６】
図４から図６において、１水平走査期間の前半に位置する１／２水平走査期間に、画像信号供給回路３００から供給された画像信号ＶＩＤｋが、第１部分領域１０ａａにおいて走査信号Ｇｊが供給されている走査線１１２に対応するＴＦＴ１１６にデータ線１１４を介して供給される。これらのＴＦＴ１１６に電気的に接続された画素電極９ａには、走査線１１２より走査信号Ｇｊが供給されてＴＦＴ１１６がオン状態とされることにより、ＴＦＴ１１６を介して対応するデータ線１１４より画像信号ＶＩＤｋが供給される。このため、画素電極９ａと対向電極２１間の液晶層５０には画像信号ＶＩＤｋに基づいて電圧が印加され、画像表示が行われる。また、１水平走査期間の後半に位置する１／２水平走査期間に、画像信号供給回路３００から供給された画像信号ＶＩＤｋが、第２部分領域１０ａｂにおいて走査信号Ｇｊが供給されている走査線１１２に対応する画素電極９ａにデータ線１１４を介して供給される。このため、これらの画素電極９ａと対向電極２１間の液晶層５０には、第１部分領域１０ａａにおける液晶層５０と同様に電圧が印加され、画像表示が行われる。
【００６７】
以上のように、この液晶装置における領域走査では、画像信号ＶＩＤｋは、表示データを２で割った１／２フィールド期間で、画像表示領域１０ａを垂直走査するように、生成されている。よって、画素電極９ａには１フィールド期間に一画面を表示するための画像信号が極性を変えて二度書き込まれる。即ち、本願出願人により先に提案された領域走査倍速Ｖ反転駆動が行われる。
【００６８】
次に本実施形態に係る調整方法について、図８から図１０を参照して説明する。ここに図８は、本実施形態に係る調整方法を示すフローチャートである。図９は、カラー合成投影ステップの説明図である。図１０は、表示データ生成ステップにおいて生成される表示データである。
【００６９】
図８及び図９に示すように、本実施形態に係る調整方法によれば、上述の液晶装置を調整する際には、先ず、カラー合成投影ステップにおいて（ステップＳ１０）、３つの上述の液晶装置５１０Ｒ、５１０Ｇ及び５１０Ｂを夫々Ｒ（赤色）用ライトバルブ、Ｇ（緑色）用ライトバルブ及びＢ（青色）用ライトバルブとして、３つ組み合わせて、プロジェクタ５００を構成する。プロジェクタ５００は、各ライトバルブから出射される光をダイクロイックプリズム５１２で合成して、投影レンズ５１４を介して、一枚のＲＧＢのカラー画像としてスクリーン５５０上に投影する。尚、光源５０２としては、ハロゲンランプ等の白色光源を用いている。光源５０２から射出された投射光は、４枚のミラー５０６及び２枚のダイクロイックミラー５０８によってＲＧＢの３原色に分離され、各原色に対応するライトバルブとしての液晶装置５１０Ｒ、５１０Ｂ及び５１０Ｇに入射されている。
【００７０】
次に調整ステップ（ステップＳ２０）中の表示データ生成ステップ（ステップＳ２１）において、画像表示領域１０ａに、背景画像中を所定形状の不透明なパターンが所定方向に動く動画像が表示されるように、表示データを生成する。表示データとしては、例えば、図１０に示すような白色の背景画像中を黒色の四角形のパターンが上下或いは左右方向に動く動画像を生成するとよい。但し、投影画像は、白黒画像に限られるものではなく、一枚のＲＧＢのカラー画像であってもよい。カラー画像の場合、後のカラーブレークを調整するステップにおいて、より目視しやすい画像を選択することができる。
【００７１】
次に調整ステップ（ステップＳ２０）において、生成された表示データに基づいて、所定形状の不透明なパターンが所定方向に動く動画像を表示する。例えば、図１０に示すような白色の背景画像８００中、黒色の四角形のパターン８１０を上下或いは左右方向に動く動画像を表示する。これによりカラーブレーク現象が生じる。即ち、背景映像上を動く黒い色の四角形のパターン８１０を、目で追う際に、その黒色の四角形のパターン８１０の後ろに虹色等の残像が見える。言い換えれば黒色の四角形のパターン８１０が何らかの色の尾を引きながら動くように見える現象が生じる。
【００７２】
次に、調整ステップ（ステップＳ２０）において、この状態で、目視によりカラーブレーク現象を観察する（ステップＳ２３）。ここで、対向電極２１（図２参照）の電位が、その最適値からずれている程、視認されるカラーブレーク現象の程度が大きくなる。逆に、対向電極２１の電位がその最適値に近くなる程、視認されるカラーブレーク現象が小さくなる。そこで、カラーブレーク現象が最小でない場合には（ステップＳ２３：ＮＯ）、対向電極２１の電位を、視認されるカラーブレーク現象が小さくなるように、対向電極電位調整部５６０（図９参照）により、調整する（ステップＳ２２）。すると、対向電極２１の電位がその最適値に近付く。そして、理想的には、対向電極２１の電位を、視認されるカラーブレーク現象が最も小さくなるように調整する。すると、このときの対向電極２１の電位が実践的な意味での、その最適値となる。このような調整は、具体的には、虹色の残像が、目視できなくなる程度になるまで（ステップＳ２３：ＹＥＳ）、対向電極２１の電位を変化させることにより行い、一連の処理を終える。このとき調整した対向電極２１の電位の値はメモリ部５７０（図９参照）に記録され、その最適値の設定に利用できるようになっている。
【００７３】
このように、目視によりカラーブレーク現象を観察して、カラーブレーク現象を小さくするように調整することで、対向電極２１の電位を、その最適値に調整することが可能となる。
【００７４】
ここで本実施形態では特に、上述したような領域走査倍速Ｖ反転駆動が行われているため、対向電極の電位が最適値からずれていても、フリッカが目視可能な程度には生じないのに対し、カラーブレーク現象は、領域走査倍速Ｖ反転駆動のような高い駆動周波数の駆動方法による場合でも、目視可能な程度に生じる。従って、領域走査倍速Ｖ反転駆動の如き、極性反転の周期が比較的早い駆動方式を採用する液晶装置において、カラーブレーク現象を小さくすることで対向電極２１の電位をその最適に近付けるように対向電極２１の電位を調整することが可能となる。
【００７５】
（第２実施形態）
第２実施形態の電気光学装置の調整方法及び装置について、図３から図５、及び図８を参照して説明する。
【００７６】
先ず、図３から図５を参照して、第２実施形態の電気光学装置の調整方法を適用する液晶装置の駆動方法について説明する。
【００７７】
この液晶装置によれば、その駆動時には、次のように倍速Ｖ反転駆動の領域走査駆動が行われる。
【００７８】
図５に示すように、画像信号供給回路３００は、表示データＤ０に係るフィールド期間を、２で割った１／２フィールド期間で、画像表示領域１０ａを垂直走査するように、画像信号ＶＩＤｋを生成する。フィールド期間は、表示データＤ０に係る垂直同期信号Ｖｓにより規定される。また、画像信号供給回路３００は、画像信号ＶＩＤｋを、基準電位ｖ０に対して正極性及び負極性の電圧のいずれかに夫々調整しつつ生成する。より具体的には、表示データＤ０に係るフィールド期間を、２で割った１／２フィールド期間毎に、これらの極性を基準電位に対して反転させる。図５には、正極性の画像信号ＶＩＤｋを画像信号Ａとし、負極性の画像信号ＶＩＤｋを画像信号Ｂとして示してある。走査線駆動回路１０４は、１フィールド期間に、水平同期信号Ｈｓに基づくタイミングで走査信号Ｇｊ（但し、ｊ＝１、２、３、・・・、ｙ）を生成する。
【００７９】
更に、走査線駆動回路１０４は、画像表示領域１０ａの複数の走査線１１２に、線順次に走査信号Ｇｊを供給する。
【００８０】
図４及び図５において、１水平走査期間に、画像信号供給回路３００から供給された画像信号ＶＩＤｋが、走査信号Ｇｊが供給されている走査線１１２に対応するＴＦＴ１１６にデータ線１１４を介して供給される。これらのＴＦＴ１１６に電気的に接続された画素電極９ａには、走査線１１２より走査信号Ｇｊが供給されてＴＦＴ１１６がオン状態とされることにより、ＴＦＴ１１６を介して対応するデータ線１１４より画像信号ＶＩＤｋが供給される。このため、画素電極９ａと対向電極２１間の液晶層５０には画像信号ＶＩＤｋに基づいて電圧が印加され、画像表示が行われる。
【００８１】
以上のように、この液晶装置における領域走査では、画像信号ＶＩＤｋは、表示データを２で割った１／２フィールド期間で、画像表示領域１０ａを垂直走査するように、生成されている。よって、画素電極には１フィールド期間に一画面を表示するための画像信号ＶＩＤｋが極性を変えて二度書き込まれる。即ち、本願出願人により先に提案された倍速Ｖ反転駆動が行われる。
【００８２】
ここで特に、第２実施形態の電気光学装置の調整方法は、第１実施形態の電気光学装置の調整方法と同様に、図８に示すように、画像表示領域１０ａから出射される光を合成して一枚の投影画像としてスクリーン上に投影するカラー合成投影ステップ（ステップＳ１０）と、投影画像におけるカラーブレーク現象を小さくすることで対向電極２１の電位をその最適値に近付けるようにその電位を調整する調整ステップ（ステップＳ２０）とを有する。カラーブレーク現象は、領域走査倍速Ｖ反転駆動と同様、倍速Ｖ反転駆動のような高い駆動周波数の駆動方法による場合でも、目視可能な程度に生じる。従って、倍速Ｖ反転駆動の如き、極性反転の周期が比較的早い駆動方式を採用する液晶装置において、カラーブレーク現象を小さくすることで対向電極２１の電位をその最適に近付けるように対向電極２１の電位を調整することが可能となる。
【００８３】
（第３実施形態）
第３実施形態の電気光学装置の調整方法について、図９、図１１及び図１２を参照して説明する。ここに図１１は、第３実施形態における図８と同趣旨のフローチャートである。図１２は、パターン動作ステップにおけるパターン動作を説明する説明図である。尚、図１２において、図８と同様のステップには、同様のステップ番号を付し、それらの説明は適宜省略する。
【００８４】
第３実施形態の電気光学装置の調整方法は、前述した第１実施形態の電気光学装置の調整方法と同様に、領域走査倍速Ｖ反転駆動の液晶装置における対向電極２１の電位を調整するための電気光学装置の調整装置である。
【００８５】
図１１に示すように、第３実施形態に係る調整方法によれば、上述の液晶装置を調整する際には、先ず、カラー合成投影ステップ（ステップＳ１０）において、第１実施形態に係る調整方法と同様に、一枚のＲＧＢのカラー画像としてスクリーン５５０（図９参照）上に投影する。
【００８６】
次に調整ステップ（ステップＳ２０）中の表示データ生成ステップ（ステップＳ２１）において、画像表示領域１０ａに、背景画像が表示されるように、表示データを生成する。表示データとしては、例えば、図１２に示すような白色の背景画像を生成するとよい。但し、背景画像は白色に限られるものではなく、他の色であってもよい。
【００８７】
次に調整ステップ（ステップＳ２０）中のパターン動作ステップ（ステップＳ２５）において、図１２に示すように、表示データ生成ステップ（ステップＳ２１）によって生成された表示データに基づいて画像表示領域１０ａに表示された白色の背景画像９００の手前側において、即ち、スクリーン５５０と観察者との間の空間におけるいずれかの位置において、黒色のブロック９１０を、観察者の側から見て、駆動装置９２０によって左右方向に動かす。これによりカラーブレーク現象が生じる。即ち、白色の背景映像９００の手前側を動く黒色のブロック９１０を、目で追う際に、その黒色のブロック９１０の後ろに虹色等の残像が見える。言い換えれば黒色のブロック９１０が何らかの色の尾を引きながら動くように見える現象が生じる。その後、第１実施形態の場合と同様に（図８参照）、ステップＳ２２及びＳ２３を経て、一連の処理を終了する。
【００８８】
このように、カラーブレーク現象を発生させることができるので、第１実施形態の電気光学装置の調整方法と同様に、カラーブレーク現象を小さくすることにより、対向電極２１の電位をその最適値に容易に近付けることが可能となる。
【００８９】
本発明は、上述した実施形態に限られるものではなく、請求の範囲及び明細書全体から読み取れる発明の要旨或いは思想に反しない範囲で適宜変更可能であり、そのような変更を伴う電気光学装置の調整方法及び電気光学装置の調整装置もまた本発明の技術的範囲に含まれるものである。
【図面の簡単な説明】
【００９０】
【図１】本発明の第１実施形態に係る調整方法を適用する液晶装置における液晶パネルの構成を示す平面図である。
【図２】図１のＨ−Ｈ'の断面図である。
【図３】液晶装置の全体構成を示すブロック図である。
【図４】液晶パネルの電気的な構成を示すブロック図である。
【図５】画像信号供給回路における画像信号の生成について説明するための説明図である。
【図６】画像表示領域における部分領域について説明するための説明図である。
【図７】変形例における図６と同趣旨の図である。
【図８】第１実施形態に係る調整方法を示すフローチャートである。
【図９】カラー合成投影ステップの説明図である。
【図１０】表示データ生成ステップにおいて生成される表示データである。
【図１１】第３実施形態における図８と同趣旨のフローチャートである。
【図１２】パターン動作ステップにおけるパターン動作を説明する説明図である。
【符号の説明】
【００９１】
９ａ…画素電極、１０…ＴＦＴアレイ基板、１０ａ…画像表示領域、１０ａａ、１０ａｂ、１０ａｅ、１０ａｆ、１０ａｇ、１０ａｈ…部分領域、２０…対向基板、２１…対向電極、２３…遮光膜、５０…液晶層、５２…シール材、５３…額縁遮光膜、６２…第１フレームメモリ、６３…第２フレームメモリ、７０…画素部、１００…液晶パネル、１０１…データ線駆動回路、１０１ｂ…サンプリング回路、１０２…外部回路接続端子、１０４…走査線駆動回路、１０６…上下導通端子、１１０…画像信号供給回路、１１２…走査線、１１４…データ線、１１６…ＴＦＴ、１７１…画像信号線、３００…画像信号供給回路、４００…タイミング制御回路、５０２…表示データ生成回路、５０６…ミラー、５０８…ダイクロイックミラー、５１０Ｒ、５１０Ｇ、５１０Ｂ…液晶装置、５５０…スクリーン、５６０…対向電極電位調整部、５７０…メモリ部、６００…分割線、７００…電源回路、８１０…パターン、９００…背景画像、９１０…ブロック、Ｄ０…表示データ、Ｇｊ…走査信号、Ｈｓ…水平同期信号、Ｓｉ…サンプリング信号、ｖ０…基準電位、ＶＩＤｋ…、画像信号、Ｖｓ…垂直同期信号、
【図１】
2006267558.tif 000003
【図２】
2006267558.tif 000004
【図３】
2006267558.tif 000005
【図４】
2006267558.tif 000006
【図５】
2006267558.tif 000007
【図６】
2006267558.tif 000008
【図７】
2006267558.tif 000009
【図８】
2006267558.tif 000010
【図９】
2006267558.tif 000011
【図１０】
2006267558.tif 000012
【図１１】
2006267558.tif 000013
【図１２】
2006267558.tif 000014